(57)【要約】【課題】被固定部に膜を確実に固定することができるとともに、支柱ピンと拡張パイプの構成材料に生分解性高分子を使用することにより、体内で安全に分解吸収され、より安全な治療を実施することができる膜固定システムを提供すること。【解決手段】少なくとも支柱ピン（２、２Ａ、２Ｂ）と拡張パイプ（１１、１１Ｂ）より構成され、前記支柱ピン（２、２Ａ、２Ｂ）は、先端部（３）と柱部（５）より構成され、これらの間に段部（４）が形成され、前記柱部（５）の外周に複数の突部（６、６Ａ、６Ｂ）が形成され、前記拡張パイプ（１１、１１Ｂ）は、第１拡張部（１２）と第２拡張部（１４）を有し、拡張パイプ（１１、１１Ｂ）の長さ方向に収縮しかつ収縮時の外径が収縮前の外径よりも大きくなるように形成されている膜固定システム（１、１Ａ、１Ｂ）。【選択図】図１
2004049641.tif 000002
【特許請求の範囲】
【請求項１】
少なくとも支柱ピン（２、２Ａ、２Ｂ）と拡張パイプ（１１、１１Ｂ）より構成され、
前記支柱ピン（２、２Ａ、２Ｂ）は、先端部（３）と柱部（５）より構成され、これらの間に段部（４）が形成され、前記柱部（５）の外周に複数の突部（６、６Ａ、６Ｂ）が形成され、
前記拡張パイプ（１１、１１Ｂ）は、第１拡張部（１２）と第２拡張部（１４）を有し、拡張パイプ（１１、１１Ｂ）の長さ方向に収縮しかつ収縮時の外径が収縮前の外径よりも大きくなるように形成されている、ことを特徴とする膜固定システム（１、１Ａ、１Ｂ）。
【請求項２】
前記拡張パイプ（１１、１１Ｂ）はその周縁上に少なくとも２つ以上の均等に配設された拡張手段（１３、１５）を有することを特徴とする請求項１に記載の膜固定システム（１、１Ａ、１Ｂ）。
【請求項３】
前記拡張手段（１３、１５）が、拡張パイプ（１１、１１Ｂ）の長さ方向に形成されたスリットまたは同一形状若しくは不定形状の孔若しくはこれらの組み合わせよりなることを特徴とする請求項１ないし２に記載の膜固定システム（１、１Ａ、１Ｂ）。
【請求項４】
前記拡張パイプ（１１、１１Ｂ）の第１拡張部（１２）と第２拡張部（１４）は、後方から前方に向けてその長さ方向に圧縮する際、第１拡張部（１２）が第２拡張部（１４）より先に拡張できるように形成したことを特徴とする請求項１ないし３に記載の膜固定システム（１、１Ａ、１Ｂ）。
【請求項５】
前記突部（６、６Ａ、６Ｂ）は（Ａ）柱部５の外周に複数、不連続、または、連続的に形成された環状の突部６であり、当該突部６はいずれも柱部５の先端部３方向に拡径するようにテーパー状に形成されている突部６である、または（Ｂ）柱部５の外周に複数、規則的にまたは不規則的に形成されたリブ状の突部６Ａである、または（Ｃ）柱部５の外周に螺旋状に形成された突部６Ｂである、ことを特徴とする請求項１ないし４に記載の膜固定システム（１、１Ａ、１Ｂ）。
【請求項６】
前記支柱ピン（２、２Ａ、２Ｂ）、拡張パイプ（１１、１１Ｂ）の一部または全部がプラスチック製または金属製の易変形性物質よりなる請求項１ないし５に記載の膜固定システム（１、１Ａ、１Ｂ）。
【請求項７】
前記支柱ピン（２、２Ａ、２Ｂ）、拡張パイプ（１１、１１Ｂ）の一部または全部が可変形性の生分解性高分子からなることを特徴とする請求項１ないし６に記載の膜固定システム（１、１Ａ、１Ｂ）。
【請求項８】
請求項１ないし７に記載の支柱ピン（２、２Ａ、２Ｂ）及び拡張パイプ（１１、１１Ｂ）とこれらの拡張用治具（２１、２１Ｂ）より構成され、
前記拡張用治具（２１、２１Ｂ）は筒状に形成され、その先端部は拡張パイプ（１１、１１Ｂ）の後端部に当接できかつ拡張パイプ（１１、１１Ｂ）を支柱ピン（２、２Ａ、２Ｂ）の先端部（３）方向に押圧して圧縮させることができる形状に形成されている、ことを特徴とする膜固定システム（１、１Ａ、１Ｂ）。
【請求項９】
請求項８に記載の支柱ピン（２Ｂ）及び拡張パイプ（１１Ｂ）とこれらの拡張用治具（２１Ｂ）より構成され、
支柱ピン２Ｂの柱部５の外周には螺旋状の突部６Ｂが形成され、
拡張パイプ１１Ｂの内面には、螺旋状の溝部が形成され、当該拡張パイプ１１Ｂは、半径方向に形成した少なくとも一つ以上の溝部１７により、長さ方向に二ピース以上に分割され、
支柱ピン２Ｂと拡張パイプ１１Ｂはそれぞれに回転により装着可能であり、
拡張パイプ１１Ｂの後端部と拡張用治具２１Ｂの先端部には、互いの接触面が、周縁方向で回転する際にロックすることができるロック部１６、２２を形成した、ことを特徴とする膜固定システム（１Ｂ）。
【請求項１０】
表面に膜（Ｍ）を当接した被固定部（３１）の小孔（３２）に支柱ピン（２、２Ａ、２Ｂ）を配置し、前記支柱ピン（２、２Ａ、２Ｂ）の柱部（５）の外周に前記拡張パイプ（１１、１１Ｂ）を被冠し、拡張パイプ（１１、１１Ｂ）後端に拡張用治具（２１）先端を当接して、支柱ピン（２、２Ａ、２Ｂ）の先端部（３）方向に押圧して圧縮する際に、前記拡張パイプ（１１、１１Ｂ）は、第１拡張部（１２）が先に拡張して、拡張パイプ（１１）が小孔（３２）に固定され、続いて同方向に押圧して圧縮すると、さらに第２拡張部（１４）が拡張して、当該第１拡張部（１２）と第２拡張部（１４）の間に前記膜Ｍを挟持して固定することができるように形成した、ことを特徴とする請求項８ないし請求項９に記載の膜固定システム（１、１Ａ、１Ｂ）。
【発明の詳細な説明】
【０００１】
【発明の属する技術分野】
本発明は、膜等を直接接着することが不可能な被接着部（被固定部ともいう）、例えば表面が濡れた被接着部（被固定部）に膜を固定する為の膜固定システムに関する。
【０００２】
【従来技術及び発明が解決しようとする課題】
膜を固定する方法として、ネジ、ピン（釘）、または接着剤等により行う方法がある。
現在、接着剤等により膜等を直接接着することが不可能な被接着部（被固定部）の表面に膜を固定するには、画鋲や釘、ネジ等を打ち込む方法が採用されている。しかしながら、小さな膜に関しては、その留め位置、留め具も小さく制限される為、操作が極めて困難なものになる。特に被接着部（被固定部）が固くて、接着不能な場合、ネジがねじ切れたり釘が途中で折れやすい等操作が困難であった。
【０００３】
現在、骨再生医療用具として、スキャホールド、膜形状のものが使用されている。使用部位によって適正形状は異なるが、膜形状のそれについては、その固定方法が問題となっている。一般的には、骨欠損部を覆った骨再生誘導膜の端部に骨と一緒に微小穴を開け、この部分に骨ピン、骨ネジ、リベット等の固定用具をねじ込むことで、膜を固定している。
しかし、その穴寸法は、径１．０×深さ５〜１０ｍｍと極小である為、ネジ回し、押し込み操作等の手技において困難を極める。また、これらの固定用具は、金属製でも機能するが、骨欠損部の完治と共に再度切開し、除去手術を行う必要がある為、患者への負担も大きいといった問題も抱えている。
これらの理由により、患者への負担も少なく、接着不能な被固定部への簡便な固定用具が望まれていた。
そこで、本発明者は、以上の課題を鋭意検討した結果、次の発明に到達した。
【０００４】
【課題を解決するための手段】
［１］本発明は、少なくとも支柱ピン（２、２Ａ、２Ｂ）と拡張パイプ（１１、１１Ｂ）より構成され、
前記支柱ピン（２、２Ａ、２Ｂ）は、先端部（３）と柱部（５）より構成され、これらの間に段部（４）が形成され、前記柱部（５）の外周に複数の突部（６、６Ａ、６Ｂ）が形成され、
前記拡張パイプ（１１、１１Ｂ）は、第１拡張部（１２）と第２拡張部（１４）を有し、拡張パイプ（１１、１１Ｂ）の長さ方向に収縮しかつ収縮時の外径が収縮前の外径よりも大きくなるように形成されている膜固定システム（１、１Ａ、１Ｂ）を提供する。
［２］本発明は、前記拡張パイプ（１１、１１Ｂ）はその周縁上に少なくとも２つ以上の均等に配設された拡張手段（１３、１５）を有する［１］に記載の膜固定システム（１、１Ａ、１Ｂ）を提供する。
［３］本発明は、前記拡張手段（１３、１５）が、拡張パイプ（１１、１１Ｂ）の長さ方向に形成されたスリットまたは同一形状若しくは不定形状の孔若しくはこれらの組み合わせよりなる［１］ないし［２］に記載の膜固定システム（１、１Ａ、１Ｂ）を提供する。
［４］本発明は、前記拡張パイプ（１１、１１Ｂ）の第１拡張部（１２）と第２拡張部（１４）は、後方から前方に向けてその長さ方向に圧縮する際、第１拡張部（１２）が第２拡張部（１４）より先に拡張できるように形成した［１］ないし［３］に記載の膜固定システム（１、１Ａ、１Ｂ）を提供する。
［５］本発明は、前記突部（６、６Ａ、６Ｂ）は（Ａ）柱部５の外周に複数、不連続、または、連続的に形成された環状の突部６であり、当該突部６はいずれも柱部５の先端部３方向に拡径するようにテーパー状に形成されている突部６である、または（Ｂ）柱部５の外周に複数、規則的にまたは不規則的に形成されたリブ状の突部６Ａである、または（Ｃ）柱部５の外周に螺旋状に形成された突部６Ｂである［１］ないし［４］に記載の膜固定システム（１、１Ａ、１Ｂ）を提供する。
［６］本発明は、前記支柱ピン（２、２Ａ、２Ｂ）、拡張パイプ（１１、１１Ｂ）の一部または全部がプラスチック製または金属製の易変形性物質よりなる［１］ないし［５］に記載の膜固定システム（１、１Ａ、１Ｂ）を提供する。
［７］本発明は、前記支柱ピン（２、２Ａ、２Ｂ）、拡張パイプ（１１、１１Ｂ）の一部または全部が可変形性の生分解性高分子からなる［１］ないし［６］に記載の膜固定システム（１、１Ａ、１Ｂ）を提供する。
［８］本発明は、［１］ないし［７］に記載の支柱ピン（２、２Ａ、２Ｂ）及び拡張パイプ（１１、１１Ｂ）とこれらの拡張用治具（２１、２１Ｂ）より構成され、
前記拡張用治具（２１、２１Ｂ）は筒状に形成され、その先端部は拡張パイプ（１１、１１Ｂ）の後端部に当接できかつ拡張パイプ（１１、１１Ｂ）を支柱ピン（２、２Ａ、２Ｂ）の先端部（３）方向に押圧して圧縮させることができる形状に形成されている膜固定システム（１、１Ａ、１Ｂ）を提供する。
［９］本発明は、［８］に記載の支柱ピン（２Ｂ）及び拡張パイプ（１１Ｂ）とこれらの拡張用治具（２１Ｂ）より構成され、
支柱ピン２Ｂの柱部５の外周には螺旋状の突部６Ｂが形成され、
拡張パイプ１１Ｂの内面には、螺旋状の溝部が形成され、当該拡張パイプ１１Ｂは、半径方向に形成した少なくとも一つ以上の溝部１７により、長さ方向に二ピース以上に分割され、
支柱ピン２Ｂと拡張パイプ１１Ｂはそれぞれに回転により装着可能であり、
拡張パイプ１１Ｂの後端部と拡張用治具２１Ｂの先端部には、互いの接触面が、周縁方向で回転する際にロックすることができるロック部１６、２２を形成した膜固定システム（１Ｂ）を提供する。
［１０］本発明は、表面に膜（Ｍ）を当接した被固定部（３１）の小孔（３２）に支柱ピン（２、２Ａ、２Ｂ）を配置し、前記支柱ピン（２、２Ａ、２Ｂ）の柱部（５）の外周に前記拡張パイプ（１１、１１Ｂ）を被冠し、拡張パイプ（１１、１１Ｂ）後端に拡張用治具（２１）先端を当接して、支柱ピン（２、２Ａ、２Ｂ）の先端部（３）方向に押圧して圧縮する際に、前記拡張パイプ（１１、１１Ｂ）は、第１拡張部（１２）が先に拡張して、拡張パイプ（１１）が小孔（３２）に固定され、続いて同方向に押圧して圧縮すると、さらに第２拡張部（１４）が拡張して、当該第１拡張部（１２）と第２拡張部（１４）の間に前記膜Ｍを挟持して固定することができるように形成した［８］ないし［９］に記載の膜固定システム（１、１Ａ、１Ｂ）を提供する。
【０００５】
【発明の実施の形態】
図１は本発明の膜固定システム１の一例を示す概略図で、（Ａ）は支柱ピン２、（Ｂ）は拡張パイプ１１、（Ｃ）は拡張用治具２１の概略図を示す。図２は本発明の膜固定システム１Ａを構成する支柱ピン２Ａの概略図を示す。図３は本発明の膜固定システム１Ｂの一例を示す概略図で、（Ａ）は支柱ピン２Ｂ、（Ｂ）は拡張パイプ１１Ｂ、（Ｃ）は拡張用治具２１Ｂの概略図を示す。
図４は本発明の膜固定システム１を用いて膜Ｍを被固定部３１に固定する方法の一例を示す概略図である。
本発明の膜固定システム１は図１に例示するように少なくとも支柱ピン２と拡張パイプ１１より構成され、さらに必用に応じてこれらの拡張用治具２１より構成される。本発明において膜固定システム１とは、支柱ピン２と拡張パイプ１１より構成されるものを意味し、さらにこれらの拡張用治具２１を含む場合がある。
前記支柱ピン２は、略円錐状の先端部３と柱部５より構成され、これらの間に段部４が形成されている。当該柱部５の外周には複数の環状の突部６が不連続に形成されている。これらの突部６はいずれも柱部５の先端部３方向に向けて拡径するようにテーパー状に形成されている突部６である。
【０００６】
前記拡張パイプ１１は、筒状に形成され、第１拡張部１２と第２拡張部１４を有し、拡張パイプ１１の長さ方向に収縮しかつ収縮時の外径が収縮前の外径よりも大きくなるように形成されている。
このために拡張パイプ１１はその周縁上に少なくとも２つ以上の均等に配設された拡張手段１３、１５を有する。当該拡張手段１３、１５とは、例えば図１（Ｂ）に例示するように拡張パイプ１１の長さ方向へ形成したスリットまたは同一形状（例えば円形または矩形等）若しくは不定形の孔若しくはこれらの組み合わせよりなり、拡張パイプ１１を長さ方向に収縮させる際にその径の拡張（変形ともいう）を助長させることができるものを意味する。
さらに拡張パイプ１１の第１拡張部１２と第２拡張部１４は、後方から前方に向けてその長さ方向に圧縮する際、第１拡張部１２が第２拡張部１４より先に拡張を始めることができるような形状、寸法、材質により形成されている。
例えば、図１（Ｂ）に例示した拡張パイプ１１は、その内面が支柱ピン２の柱部５の突部６に接触して、これに沿って先端部３方向に、その先端が段部４に突き当たるまで、スライドできるように形成されている。さらに変形が２箇所で起こるように第１拡張部１２と第２拡張部１４を拡張パイプ１１の同軸・長さ方向上で、分割して配置し、膜Ｍを第１拡張部１２と第２拡張部１４の間に挟むことができるように形成されている。
なお、第２拡張部１４が第１拡張部１２より先に拡張した場合は、小穴３２内部に拡張パイプ１１が入ることが出来ず、膜が固定できないので好ましくない。
【０００７】
前記拡張用治具２１は筒状に形成され、その先端部は拡張パイプ１１の後端部に当接できかつ拡張パイプ１１を支柱ピン２先端部３方向に押圧して圧縮させることができる形状に形成されている。例えば、図１及び図４に例示するように、拡張用治具２１の先端外径は、拡張パイプ１１の後端外径と実質的に同じに形成され、同内径は支柱ピン２の突部６に接触する程度に形成されている。
以上の構成により本発明の膜固定システム１は、表面に膜Ｍを当接した被固定部３１の小孔３２に支柱ピン２を配置し、前記支柱ピン２の柱部５外周に拡張パイプ１１を被冠し、拡張パイプ１１後端に拡張用治具２１先端を当接して、支柱ピン２の先端部３方向に押圧して圧縮する際に、前記拡張パイプ１１は、第１拡張部１２が先に拡張して、拡張パイプ１１が小孔３２に固定される。
続いて同方向に押圧して圧縮すると、さらに第２拡張部１４が拡張して、当該第１拡張部１２と第２拡張部１４の間に前記膜Ｍを挟持して固定することができる。
【０００８】
前記支柱ピン２、拡張パイプ１１の一部若しくは全部がプラスチック製または金属製の易変形性物質より形成される。さらに好ましくは前記支柱ピン２、拡張パイプ１１の一部若しくは全部が可変形性の生分解性高分子から形成するのが良い。拡張パイプ１１は、易変形性物より構成されていない場合、機械等を使用した複雑な手技を要するので好ましくない。
また本発明では、支柱ピン２、拡張パイプ１１の構成材料として、その一部若しくは全部にポリ乳酸、ポリグリコール酸、ε−カプロラクトン、これらの群より選択される少なくとも一つの物質またはこれらの二種類以上の物質の組み合わせからなる共重合体（三元共重合体も含む）またはこれらにバイオセラミックス粉体（例えばβ−燐酸三カルシウムやハイドロキシアパタイト等）を含有させた柔軟な生分解性高分子を使用するのが好ましい。これらの材料を採用することにより第１拡張部１２と第２拡張部１４等の易変形部を容易に形成でき、尚且つ、治療部が完全に治癒すると体内で安全に分解吸収される。（特にε−カプロラクトンを含有する柔軟な生分解性ポリマーを使用すると前記の効果を得やすいので好ましい。）
【０００９】
図２に例示した支柱ピン２Ａは、支柱ピン２の突起部６に代えて、柱部５の外周に複数、規則的または不規則的なリブ状の突部６Ａを形成したものである。
リブ状の突部６Ａとは、図２に例示した形状の他に、板状、矩形状、円柱状等の全ての形態を含む。支柱ピン２Ａは、図１に例示した支柱ピン２と置換して、支柱ピン２と拡張パイプ１１より構成される膜固定システム１Ａ、さらにこれらに拡張用治具２１を加えた膜固定システム１Ａとして、図１に例示した膜固定システム１と実質的に同様に使用することができる。
【００１０】
図３に例示した膜固定システム１Ｂは、支柱ピン２Ｂと拡張パイプ１１Ｂと拡張用治具２１Ｂより構成される。
支柱ピン２Ｂは、図１に例示した支柱ピン２の突起部６に代えて、柱部５の外周に螺旋状の突部６Ｂを形成したものである。
拡張パイプ１１Ｂは、内面に前記螺旋状の突部６Ｂと対向する螺旋状の溝部（図示略）を形成し、さらに半径方向に形成した溝部１７により、長さ方向に二ピースに分割されている。なお溝部１７は少なくとも一つ以上形成し、長さ方向に二ピース以上に分割することができる。溝部１７を（ｎ）箇所形成すれば、長さ方向に（ｎ＋１）ピースに分割することができる。その他は図１に例示した拡張パイプ１１と実質的に同一に形成される。
以上のように、支柱ピン２Ｂと拡張パイプ１１Ｂはそれぞれに回転により装着することができる。
拡張パイプ１１Ｂの後端部と拡張用治具２１Ｂの先端部には、互いの接触面が、周縁方向で回転する際にロックすることができるロック部１６、２２が形成されている。ロック部１６、２２とは、図３に例示するような鍵状（ギア状ともいう）のものに限定されず、相互に接触面をロックすることができる全ての形態を含む。
【００１１】
次に本発明の膜固定システム１の使用方法の一例について図４を参照しながら説明する。
まず、支柱ピン２を表面に膜Ｍを当接した被固定部３１の小穴３２に挿入し、支柱ピン２の段部４に拡張パイプ１１の先端が接触するまで被冠する。なお、支柱ピン２の段部４に拡張パイプ１１が接触するまで被冠し、これを小穴３２にセットしても良い。その後、拡張用治具２１の先端を拡張パイプ１１の後端に当接して拡張パイプ１１を支柱ピン２先端部３方向に押し込むと、まず第１拡張部１２が折れ曲がり、支柱ピン２と垂直な方向に拡張し、支柱ピン２と拡張パイプ１１が小穴３２に固定される。更に拡張パイプ１１を支柱ピン２先端部３方向に押し込み続けると、第２拡張部１４が折れ曲がり、支柱ピン２と垂直な方向に拡張し、２つの拡張部１２、１４の間に膜Ｍが固定される。
【００１２】
次に本発明の膜固定システム１Ｂの使用方法の一例について説明する。
まず、支柱ピン２Ｂを表面に膜Ｍを当接した被固定部３１の小穴３２に挿入し、支柱ピン２Ｂの段部４に拡張パイプ１１Ｂの先端が接触するまで溝部１７両側の第１拡張部１２と第２拡張部１４を同時にねじ回しながら、被冠する。効率良く被冠するには、第１拡張部１２と第２拡張部１４を同時にねじ回すのが良い。
その後、拡張用治具２１Ｂの先端（ロック部２２）を拡張パイプ１１Ｂの後端（ロック部１６）に当接して拡張パイプ１１Ｂが支柱ピン２Ｂ先端部３方向に押し込まれるようにねじ回すと、溝部１７より前方の第１拡張部１２が折れ曲がり、支柱ピン２Ｂと垂直な方向に拡張し、支柱ピン２Ｂと拡張パイプ１１Ｂが小穴３２に固定される。更に拡張パイプ１１Ｂが支柱ピン２Ｂ先端部３方向に押し込まれるように拡張用治具２１Ｂの先端（ロック部２２）を拡張パイプ１１Ｂの後端（ロック部１６）に当接してねじ回し続けると、溝部１７より後方の第２拡張部１４が折れ曲がり、支柱ピン２Ｂと垂直な方向に拡張し、２つの拡張部の間（溝部１７付近）に膜Ｍが固定される。
【００１３】
【実施例】
〈実施例１〉
接着できない表面で、ネジ、くぎ等も通さない硬い壁に、ドリルで小さい穴を開け、そこに本発明による金属製の膜固定システム」を用いて板を固定した。
〈実施例２〉
金属製で、好ましくはチタン製の膜固定システム」を骨再生誘導膜の固定装置として使用した。
〈実施例３〉
ポリ乳酸、ポリグリコール酸、ポリε−カプロラクトンの三元共重合体で引っ張り強度８〜２０ＭＰｓ、ヤング率２〜４０ＭＰｓを示す原料からなる生分解性樹脂を押出・射出・切削により図１のように成形し、これを骨再生誘導膜の固定装置として使用した。
【００１４】
〈比較例１〉
接着できない表面で、ネジ、くぎ等も通さない硬い壁に、板を固定しようとした。
〈比較例２〉
金属製の骨ネジを用いて、骨再生誘導膜を固定した。
【００１５】
【評価方法】
〈実施例１〉の比較対照として、〈比較例１〉を用い、固定能の可否の確認を行った（表−１）。また、〈実施例２〉、〈実施例３〉の比較対照として〈比較例２〉を用い、実際に動物へ骨再生誘導膜を埋込した際の操作の難易性比較を行った（表−２）。また、〈実施例３〉は生分解性高分子である為、その分解状況を経時的な確認を行った（表−３）。
【００１６】
【評価結果】
【表１】
2004049641.tif 000003
【表２】
2004049641.tif 000004
【表３】
2004049641.tif 000005
以上より、本発明の膜固定システムの有効性が確認できた。また、その構成材料が、生分解性高分子であれば、より安全で機能的であることも確認できた。
【００１７】
【発明の作用効果】
以上のように、本発明の膜固定システム１、１Ａ、１Ｂは、被固定部３１の小穴３２及び膜Ｍが極微小であっても、支柱ピン２、２Ａ、２Ｂの段部４を利用し、拡張パイプ１１、１１Ｂを拡張用治具２１、２１Ｂで押し込むだけで被固定部３１に膜Ｍを確実に固定することができる。支柱ピン２、２Ａ、２Ｂと拡張パイプ１１、１１Ｂの構成材料に生分解性高分子を使用することにより、体内で安全に分解吸収されるので、より安全な治療を実施することができる。
【図面の簡単な説明】
【図１】本発明の膜固定システム１の一例を示す概略図。（Ａ）は支柱ピン２、（Ｂ）は拡張パイプ１１、（Ｃ）は拡張用治具２１の概略図。
【図２】本発明の膜固定システム１Ａを構成する支柱ピン２Ａの概略図。
【図３】本発明の膜固定システム１Ｂの一例を示す概略図。（Ａ）は支柱ピン２Ｂ、（Ｂ）は拡張パイプ１１Ｂ、（Ｃ）は拡張用治具２１Ｂの概略図。
【図４】本発明の膜固定システム１を用いて膜Ｍを被固定部３１に固定する方法の一例を示す概略図。
【符号の説明】
１、１Ａ、１Ｂ　　膜固定システム
２、２Ａ、２Ｂ　　支柱ピン
３　　先端部
４　　段部
５　　柱部
６　　突部
１１、１１Ｂ　　拡張パイプ
１２　　第１拡張部
１３　　スリット
１４　　第２拡張部
１５　　スリット
１６　　ロック部
１７　　溝部
２１、２１Ｂ　　拡張用治具
２２　　ロック部
Ｍ　　膜
３１　　被固定部
３２　　小穴
【図１】
2004049641.tif 000006
【図２】
2004049641.tif 000007
【図３】
2004049641.tif 000008
【図４】
2004049641.tif 000009